(57)【特許請求の範囲】
【請求項１】
ＩＣコインの情報を読取って処理動作を実行する遊技機用ＩＣコイン処理装置であって、
正逆転自由に回転するロータと、そのロータを内蔵するケーシングとから構成され、
前記ロータは、ＩＣコイン受入れ保持用に凹部形成したコインホルダを外周面上に開口して設けると共に、回転に伴い前記コインホルダに保持されたＩＣコインを前記コインホルダ及び外周面で押上げ移動させ、
前記ケーシングは、前記ロータのコインホルダと対応する回転軌跡上の位置に開口して投入されたＩＣコインを受入れる受入口と、
前記ロータのコインホルダと対応する回転軌跡上の位置に開口して返却通路の入口と対応する返却口と、
複数のＩＣコインを貯留待機可能な押上通路の入口と対応するとともに前記ロータのコインホルダと対応する回転軌跡上の位置に開口し、該ロータから押上げられたＩＣコインを受入れる押上口と、
前記押上通路の上方に開口して回収通路の入口と対応する回収口と、
前記ＩＣコインをコインホルダに受入れた状態で、ＩＣコインに非接触に読取りおよび書込み処理する情報処理部と、
前記ロータのコインホルダの回転停止位置を、前記ケーシングの受入口と、返却口と、情報処理部との各対応位置に回転移動させる回転制御手段を備えたことを特徴とする
遊技機用ＩＣコイン処理装置。
【請求項２】
前記押上通路を通って上動するＩＣコインを、該コインの押上動作に連動させて回収通路側に移動させる回収ガイド手段を備えたことを特徴とする
請求項１記載の遊技機用ＩＣコイン処理装置。
【請求項３】
前記ケーシングは、少なくとも内蔵されたロータのコインホルダ部分を開放可能に開閉許容して設けた
請求項１または２記載の遊技機用ＩＣコイン処理装置。
【請求項４】
投入された媒体の価値情報を、ＩＣコイン発行用またはＩＣコインの価値情報更新用に受付ける入力手段と、
請求項１、２または３記載の遊技機用ＩＣコイン処理装置とを備えて構成した
台間機。
【発明の詳細な説明】
【０００１】
【発明が属する技術分野】
この発明は、例えばパチンコ遊技場（遊技ホール）において、パチンコ機あるいはパチスロ機（スロットマシン）などの遊技機に使用されるパチンコ球やメダルのような遊技動体を貸出す遊技機用ＩＣコイン処理装置および台間機に関する。
【０００２】
【従来の技術】
一般に、パチンコ遊技場などの遊技ホールに設置されるスロットマシンは、現金の管理を容易化するために、プレーヤに記憶媒体の一種であるプリペイドカードを発行し、該カードに記憶された金額価値データからゲームをプレイする都度、メダル利用分を減額してプレーヤが遊技をするシステムを導入している。
【０００３】
上述のシステムにおいて発行されるプリペイドカードは、遊技ホール内の販売に適した位置に専用販売機を設置して、プレーヤがプレーする前にプリペイドカードを購入させる方法であるが、このプリペイドカードの金額価値がなくなると、プレーヤは席を立って再び専用販売機で新たにプリペイドカードを再購入する必要があり、このためにプレーヤは遊技の中断を余儀なくされていた。
【０００４】
このため、プリペイドカード発行機を備えた台間機をスロットマシンに隣設することが図られているが、この場合はプリペイドカードの購入操作と、このプリペイドカードを受取って、スロットマシンに投入する投入操作とを要して操作が煩雑になり、また同カードの金額価値がなくなると廃棄されてしまう消耗品として扱われており、カードが十分に有効利用されなかった。
【０００５】
近年、上述のカードの再利用を図ったリサイクルタイプの遊技カードが提案されている（例えば実開平５−２１９８９号公報参照）。
このリサイクルタイプの遊技カードは金額価値がなくなると、貨幣を投入させ、その投入された金額分の金額価値情報を遊技カードに再度書込んで再利用するものである。
【０００６】
しかし、この遊技位置にセットされた遊技カードは金額価値情報が与えられた時点からプレーヤによって抜取り自由な構成であり、プレーヤが遊技台を移動する毎に抜取られるため、抜出された遊技台に対しては係員が新たな遊技カードを補充セットして次客に備える必要があるが、ホール内の多数の遊技台のそれぞれに対して１枚ずつ補充セットする必要があるため運用管理上、手間がかかっていた。
【０００７】
また、カードであるが故にプレーヤの取扱い操作によっては不測に折れ曲ったり、大きく弯曲して破損することがあり、外力によって簡単に変形破損してしまう。
【０００８】
このような遊技カードを用いられるとカードの読取り時、書込み時にエラーが生じ易く、プレーに支障をきたす恐れがあった。
【０００９】
【発明が解決しようとする課題】
そこでこの発明は、装置内部に再利用可能なＩＣコインを複数枚貯留待機できるように構成して運用することにより、係員による補充作業を要せず、しかもプレーヤが取扱う遊技媒体は厚みのある耐久性に優れたコイン形状にできるほか、プレーヤが扱いやすい円形状のため、プレーヤの操作性を向上し、また遊技ホールの管理に適した運用を図ることができる遊技機用ＩＣコイン処理装置および台間機の提供を目的とする。
【００１０】
【課題を解決するための手段】
この発明は、ＩＣコインの情報を読取って処理動作を実行する遊技機用ＩＣコイン処理装置であって、正逆転自由に回転するロータと、そのロータを内蔵するケーシングとから構成され、前記ロータは、ＩＣコイン受入れ保持用に凹部形成したコインホルダを外周面上に開口して設けると共に、回転に伴い前記コインホルダに保持されたＩＣコインを前記コインホルダ及び外周面で押上げ移動させ、前記ケーシングは、前記ロータのコインホルダと対応する回転軌跡上の位置に開口して投入されたＩＣコインを受入れる受入口と、前記ロータのコインホルダと対応する回転軌跡上の位置に開口して返却通路の入口と対応する返却口と、複数のＩＣコインを貯留待機可能な押上通路の入口と対応するとともに前記ロータのコインホルダと対応する回転軌跡上の位置に開口し、該ロータから押上げられたＩＣコインを受入れる押上口と、前記押上通路の上方に開口して回収通路の入口と対応する回収口と、前記ＩＣコインをコインホルダに受入れた状態で、ＩＣコインに非接触に読取りおよび書込み処理する情報処理部と、前記ロータのコインホルダの回転停止位置を、前記ケーシングの受入口と、返却口と、情報処理部との各対応位置に回転移動させる回転制御手段を備えたことを特徴とする。
ここで、ＩＣコインとは非接触にデータ通信するデータ送受信用のアンテナ、モデム、データの記憶部を内蔵して円形のコイン状に形成し、このコインのデータを遊技機における遊技動体の払出し用に設定している。
【００１１】
上述のロータとは、モータの回転力を受けて回転する円板の外周面に、ＩＣコインを収納可能なＵ字形などの凹部形状に切欠いて設けたコインホルダを作成して構成することができる。
【００１２】
上述のケーシングとは、ロータを回転自由に内蔵する円形の収納スペースを有し、ロータの外周面と対応する任意の位置を開口してＩＣコインの出入れ部分に設定し、ＩＣコインの処理に必要な受入口、返却口、押上口を形成することができる。
【００１３】
例えば、受入口の開口位置を設定する場合は、ＩＣコインの自重を考慮してロータのコインホルダの向きを、投入されたＩＣコインを受入れる斜め上向きに開口した位置になるように受入れ方向を設定する。これに対し、返却口の開口位置を設定する場合は、同じくＩＣコインの自重を考慮してコインホルダの向きを、ＩＣコインが自重でコインホルダから下方に自然落下する下向きに開口した位置に設定する。
【００１４】
上述の押上口とは、ＩＣコインの重力に逆らってＩＣコインをロータの外周面より上方に押上げ、対応する位置に開口して設けることができ、さらにこの押上口の上方に連通する押上通路をＩＣコインの貯留部に設けることができる。
【００１５】
したがって、この押上通路に貯留させたＩＣコインを降下させて再びコインホルダに導けば再利用することができる。
【００１６】
上述の情報処理部とは、ＩＣコインと非接触に通信可能で金額価値情報等を読込み・書込みできるＲ／Ｗ（リーダライタ）を備えて構成することができる。
【００１７】
この結果、ＩＣコインを受入れるコインホルダを備えたロータを、ケーシング内で正逆転自由に回転制御すれば、ＩＣコインを周方向の受入位置、情報処理位置、返却位置、押上位置などのロータの３６０°上の任意の位置に設定した処理目的位置に容易に回転対応させることができる。
【００１８】
このとき、ロータは回転移動式のため、ロータを中心とする周方向に受入位置、情報処理位置、返却位置、押上位置などの多くの対応位置をコンパクトに効率よく設けることができ、しかもロータの設置スペースは円形状の必要最小限で済むため、遊技機用ＩＣコイン処理装置の小型化が図れる。
【００１９】
ことに、ＩＣコインは掌に把持し易い円形状を有しているためプレーヤは扱い易く、また耐久性に富むため、カードのように変形して情報の読取り・書込み不良を起こすこともなく、また破損する恐れがない。
【００２０】
さらに、ケーシングにはロータのコインホルダと対応する回転軌跡上の上方対応位置にＩＣコインを発行用に貯留するための押上口を接続しているため、プレーヤによる外部からの投入利用だけでなく、内部の押上通路の押上口からＩＣコインをコインホルダに補給させることができる。このため、ゲーム時に前のプレーヤがＩＣコインを抜き取ってしまった場合でも、次のプレーヤの貨幣投入に基づいてＩＣコインを押上口より補給させれば、ＩＣコインを発行することができ、そのままでゲームを開始することができる。したがって、係員が新しいＩＣコインを補充する作業をなくすことができる。
【００２１】
また、押上通路内を通って上動するＩＣコインを、該コインの押上動作に連動させて回収通路側に移動させる回収ガイド手段を備えることができる。
【００２２】
この場合は、押上通路に押し上げられたＩＣコインが貯留限度枚数以上になるとオーバフローして押上通路の上方に開口する回収口側へと至る。このとき、該位置に配設された回収ガイド手段が、オーバフローしたＩＣコインを回収通路へと移動させて回収動作を円滑に行わせる。このため、押上通路内には予め定められた一定枚数を貯留することができ、コイン詰まりを誘起するような過剰にＩＣコインが貯留されることはない。
【００２３】
また、ケーシングに組込まれたロータのコインホルダ部分を開放可能にケーシングを開閉許容して設けることができる。
【００２４】
この場合は、内部点検が容易であるほか、ケーシング内部のコインホルダの部分で、仮にコイン詰りが発生しても、ケーシングを開放することによりコイン詰りを容易に解消することができる。
【００２５】
このような遊技機用ＩＣコイン処理装置を内蔵して台間機を構成した場合は、この台間機で扱われるＩＣコインを遊技動体の払い出し媒体に用いることができる。また、金額価値がなくなった使用済のＩＣコインを直ぐに回収せずにリサイクル用に一旦貯留しておけば、ＩＣコイン発行用に再利用することができる。
【００２６】
また、投入された現金あるいは価値カードなどの媒体の金額価値情報を、ＩＣコイン発行用またはＩＣコインの金額価値情報更新用に受付ける入力手段と、上述した遊技機用ＩＣコイン処理装置とを備えて台間機を構成することができる。
【００２７】
この場合は、ＩＣコインを投入しなくても、入力手段から金額価値情報を入力させれば、金額価値情報が入力された新規のデータを有するＩＣコインを作成することができるためＩＣコイン発行機で購入操作せずにそのままで遊技継続できる。
【００２８】
例えば、金額価値がなくなったＩＣコインを回収せずにリサイクル用に押上通路に貯留させ、その後、金額価値情報が入力されると、貯留されている１枚のＩＣコインを押上通路から降下させ、この降下したＩＣコインを情報処理位置に導いて該コインに入力されたデータ更新分の金額価値情報等を記録すれば、該コインを新規のＩＣコインとして再利用することができる。
【００２９】
【発明の効果】
この発明によれば、ＩＣコインを処理目的位置に容易に回転移動させて処理することができる回転移動式の構成のため、設置スペースは必要最小限で済み、遊技機用ＩＣコイン処理装置の小型化が図れる。また、ＩＣコインをロータにより回転移動させて情報処理部に正確に位置決めしてデータ処理できるため、読取り・書込み処理を安定して行うことができる信頼性の高いデータ処理性能が得られる。
【００３０】
また、押上通路に複数枚のＩＣコインを発行用に貯留でき、ことに使用済みのＩＣコインを発行用に貯留できるためＩＣコインのリサイクル運用を効率よく図ることができる。
【００３１】
このように使用済みのＩＣコインを回収せずに複数枚を貯留許容し、ＩＣコインに記録されている金額価値が減額されてなくなっても、プレーヤは席に座ったまま新規のＩＣコインを購入して遊技を継続することができ、プレーヤの連続遊技性を確保することができる。それゆえ、プレーヤは遊技意欲を削ぐことなく楽しむことができる。
【００３２】
ことに、ＩＣコインはプレーヤが扱いやすい円形状であり、しかも耐久性に富む構造にし易いため、カードのように変形して破損される恐れがない。また、データ管理に対しては、カードのように投入時に縦横・表裏の向きに制約されず、また直線方向に対する押込み操作や引出し操作ではなく、ＩＣコインは投入するだけでよく、その後は転動して自然に内方に取込まれる。取込み後は、ロータ内部のコインホルダの位置に保持されるため定位置に確保され、その後の回収、返却などの処理においてもＩＣコインは該コインの自重を有効利用して処理することができる。
【００３３】
【発明の実施の形態】
この発明の一実施の形態を以下図面に基づいて説明する。
図面は、遊技機用ＩＣコイン処理装置を含む遊技機システムを示し、図１は遊技機システムを示し、ホストコンピュータ１０に対して、複数の島Ａ１，Ａ２の遊技機１１（パチンコ遊技台１１ａ、スロット（パチスロ）遊技台１１ｂ）の一側に隣設した台間機１２（パチンコ用台間機１２ａ、スロット用台間機１２ｂ）が、ケーブル１３を介してデータの送受信を可能に接続し、またＩＣコイン発行機１４およびＩＣコイン精算機１５もケーブル１３を介して、データの送受信を可能に接続している。また、上述のホストコンピュータ１０は他のシステム、例えば営業管理用のホストコンピュータに接続することができる。
【００３４】
上述のパチンコ遊技台１１ａは、パチンコ球を遊技動体として遊技し、またスロット遊技台１１ｂは、メダルを遊技動体として遊技することは周知の通りである。
【００３５】
台間機１２は、遊技機１１（１１ａ，１１ｂ）に対応したパチンコ球などの遊技動体を払出すか、あるいはメダル枚数データを払出し、これらの払出し用媒体としてＩＣコインが利用される。
上述のＩＣコインは台間機１２に現金（紙幣）を投入することにより発行して、この発行したＩＣコインを使用することができると共に、前述のＩＣコイン発行機１４で発行したＩＣコインを使用することもできる。
【００３６】
なお、島Ａ１，Ａ２の端部には、遊技機１１に投入した現金（紙幣）を回収し、また、遊技機１１にプールしたＩＣコインがオーバフローした場合、これを回収する回収機１６を配設している。
【００３７】
前述のＩＣコイン発行機１４は、前述のＩＣコイン、すなわち、遊技機１１における遊技動体（パチンコ球）の払出し用媒体として使用するＩＣコイン（後述する）を発行し、この発行は現金（貨幣）の投入に基づいて、該現金の金額に対応する金額価値のデータをＩＣコインに記録して放出する。
【００３８】
前述のＩＣコイン精算機１５は、プレーヤが遊技を止めた際、使用したＩＣコインに金額価値が残っている場合、ＩＣコインを投入して、その残価値分の現金（紙幣または硬貨）を放出することによりＩＣコインの価値を清算する。
【００３９】
図２に示すように、前述のＩＣコイン２０は、全体形状（外観）を合成樹脂で偏平な円盤状、つまりコイン状に形成し、表裏両面は印刷面に設定して、例えば図２（Ａ）に示すように、表面に定額の「１０００円」の金額価値を示す文字を印刷（または刻設）している。なお、金額価値はこれに限定されるものではない。
【００４０】
また、ＩＣコイン２０の内部には、図２（Ｂ）に示すように、ＩＣモジュール２１を内蔵している。図３は、ＩＣモジュール２１に形成される回路構成を示し、ＣＰＵ２２はＲＯＭ２３のデータに沿って各回路装置を駆動制御し、ＲＡＭ２４は動作に必要なデータを記憶する。不揮発性で消去・再書込み可能なＥＥＰＲＯＭ２５は価値データを記録する。また、Ａ／Ｄ変換器２６とアンテナ２７とにより通信手段を構成しており、この通信手段により台間機１２、ＩＣコイン発行機１４，ＩＣコイン精算機１５に投入されたとき、それぞれの本体側の通信手段と非接触状態でデータの送受信が可能である。電源回路２８はアンテナ２７に信号を受信したときの起電力により電源を発生して、各回路に供給している。
【００４１】
図４は、上述のＥＥＰＲＯＭ２５の記録エリアに記録されるデータを示し、記録エリアはデータの書換えが不可能なシステムエリアと、データの書換えが可能なデータエリアとを設定し、システムエリアには、ユニーク番号と、ホール番号とを記録し、データエリアには、金額（または度数）と、日付（発行日）と、書込み回数とのデータを記録している。
【００４２】
上述のシステムエリアのユニーク番号データは、各ＩＣコインに割り当てられた番号で、大きな桁数で設定することができるので、他のＩＣコインと番号が重合することが避けられ、このユニーク番号を管理することで不正使用を防止することができる。また、システムエリアのホール番号データは、ＩＣコイン２０の使用を可能にした遊技ホールを示す番号であって、これらの番号を遊技ホール毎に対応させて管理することにより信頼のあるセキュリティが得られる。
【００４３】
前述のデータエリアの金額は、発行時に投入された貨幣の金額価値データであり、日付データはＩＣコイン２０に金額データを記録して発行した発行日、書込み回数データは、データを書き込んだ回数データであって、これらのデータは使用の度に書換えられる。なお、金額のデータに替えて、可能な払出しの回数を示す度数データを価値データとすることもできる。また、書込み回数はＩＣコインの使用限界を設定したとき、この回数で規制することができる。
【００４４】
次に、ＩＣコインの処理に際して、パチンコ用台間機１２ａとスロット用台間機１２ｂとはＩＣコイン２０の処理が同一構造であるため、以下、図５に示すスロット用台間機１２ｂに適用した場合について説明する。
【００４５】
上述のスロット用台間機１２ｂは台間スペースに適した狭幅でスロット遊技台１１ｂと同高さの縦長形状を有し、その前面の上部より下部にかけて電源ランプ３１と、紙幣挿入口３２と、コイン表示器３３と、払出しボタン３４と、コイン投入口３５と、コイン確認窓３６と、コイン返却口３７と、コイン返却ボタン３８と、施錠装置３９とを、この順に配設している。
【００４６】
上部側の電源ランプ３１は、点灯・消灯させて、現在のスロット用台間機１２ｂの利用可否状態を表示案内する役目を有している。
【００４７】
その下部の紙幣挿入口３２は、紙幣を垂直状態に受入れ許容する開口部を有し、ここに例えば千円札が挿入され、内方には紙幣処理装置を備えて挿入された紙幣の真偽判別、金種判別を行い、有効な紙幣を識別したときは受付け許容して紙幣を内部に取込み、無効と判別したときは受付け拒否して紙幣を紙幣挿入口３２より返却する。
【００４８】
続いて、紙幣挿入口３２の下方に位置するコイン表示器３３は、ＩＣコイン２０の価値有効残度数の情報を表示し、この表示機能を持たせることにより、プレーヤは遊技状況が明確に判り、プレーヤに対するサービス性を高めている。
【００４９】
さらに、その下部の払出しボタン３４は、プレーヤが該ボタン３４を押下操作することに連動して、ＩＣコイン２０に記録されている金額価値データが減額され、消費された払出し回数分のメダル枚数データが使用対象のスロット用遊技台１１ｂのデータ制御部へと払出される。
【００５０】
また、上述の払出しボタン３４に対しては点灯表示して、この払出しボタン３７の操作性を高めるために、該ボタン３４にランプ３４ａを組込んで一体構成している。なお、この払出しボタン３４は、スロット遊技台１１ｂ側に設けてもよい。
【００５１】
さらに、その下部のコイン投入口３５と連通する内方には、後述するＩＣコイン処理装置が内蔵されており、ここにＩＣコイン２０を導いてデータ処理する処理機能を持たせている。
【００５２】
その下部に位置するコイン確認窓３６は、内部で処理されるＩＣコイン２０の存在を外部からプレーヤに視認させる透明の窓であり、プレーヤ側より確認可能な任意の位置に設定する。このような確認機能を持たせることにより、プレーヤにＩＣコイン２０の発行状態を確認させることができ、プレーヤに安心感のある遊技を提供できる。
【００５３】
さらに、その下部のコイン返却口３７には、コイン返却ボタン３８の押下操作に連動して、ここにＩＣコイン２０が返却される。その下部にコイン返却ボタン３８が位置して同ボタン３８の押下操作に連動して投入されたＩＣコイン２０を下方のコイン返却口３７より返却させる。
【００５４】
そして、最下部の施錠装置３９はスロット用台間機１２ｂ自体をスロット用遊技台１１ｂの隣設位置に着脱する際のロック、ロック解除がなされる。
【００５５】
図６はスロット用台間機１２ｂの内方に組込まれるＩＣコイン処理装置４０を示し、このＩＣコイン処理装置４０は正逆転自由に回転するロータ４１と、このロータ４１を内蔵するケーシング４２とから構成される。
【００５６】
上述のロータ４１は、円板の外周面上の１か所の位置に、ＩＣコイン受入れ用にＵ字形に凹部形成したコインホルダ４３を開口して設け、回転中心位置に取付けた回転軸４４がケーシング４２の内部に対応して設けられる図示しない軸受部に軸支されて、正逆転自在に回転許容されている。
【００５７】
また、ロータ４１の背面側の外周内面にはロータギヤ４５を一体に螺刻しており、ここに後述するケーシング側のギヤが接続されてロータ４１に回転力が伝達される。
【００５８】
上述のケーシング４２は、ロータ４１の両面と外周面とを囲む如く対応する円形の収納空間を内部に有し、このうち図６において、ロータ４１のコインホルダ４３と対応する回転軌跡上の右斜め上方位置を、上述したコイン投入口３５と対向し、投入されたＩＣコイン２０を受入れ可能な受入口４６を開口している。
【００５９】
この受入口４６に対してはシャッタソレノイドＳＯＬにより受入口４６を開閉操作する投入口シャッタ４７を備えており、ここに投入されるＩＣコインの１枚の受付けを可能にしている。
【００６０】
また、コインホルダ４３と対応する回転軌跡上の図６における左斜め上方位置を、押上通路４８と連通し、かつ該通路４８に向けてＩＣコイン２０を押上げて貯留する押上口４９を開口している。
【００６１】
さらに、ロータ４１のコインホルダ４３と対応する回転軌跡上の図６における右斜め下方位置を、上述したコイン返却口３７とは図示しない返却通路を介して連通し、返却すべきＩＣコイン２０を落下させて返却可能な返却口５０を開口している。
【００６２】
このようにロータ４１の回転軸４４を中心とする円周上の位置に、受入口４６と押上口４９と返却口５０がそれぞれ対応し、ロータ４１を回転制御して位置決め対応させることができる。
【００６３】
このうち、コインホルダ４３が対応する受入口４６との対向位置を受入位置に設定し、押上口４９と対向する位置を押上位置に設定している。
【００６４】
また、コインホルダ４３が真上に向いて対応する位置には、ロータ４１に取込んだＩＣコイン２０に非接触でデータの読取り・書込みを行うＲ／Ｗ（リーダライタ）５１を設置して、ここでＩＣコインに価値情報を読取り、書込み処理して情報処理を行う情報処理位置に設けている。
【００６５】
また、コインホルダ４３が対応する返却口５０との対向位置を返却位置に設定し、上方の受入位置と下方の返却位置との間でコイン確認窓３６と対応する位置を確認位置に設定している。
【００６６】
また、ケーシング４２の内部に組込まれたロータ４１のコインホルダ４３の部分を開放可能にケーシング片面のカバー４２ａを本の如く見開きできるように一側の枢支部４２ｂを開閉支点に開閉許容して設けている。
【００６７】
このような開閉機能を持たせた場合は、ケーシング４２の内部点検が必要な場合に開放して容易点検することができる。このほか、ケーシング内部のコインホルダの部分で、仮にコイン詰りが発生しても、ケーシング片面のカバー４２ａを開放することによりコイン詰りを容易に除去することができる。
【００６８】
上述のロータ４１の回転駆動に際しては、駆動モータＭの駆動ギヤ５６と、既述したロータギヤ４５との間を、第１、第２中間ギヤ５７，５８を噛合させて動力伝達し、駆動モータＭの正逆転駆動に基づいてロータ４１は正逆転される。
【００６９】
ところで、ロータ４１に保持されるＩＣコイン２０は下面半周円が自重によりコインホルダ４３の凹部に保持された状態にあり、ＩＣコイン２０を保持した状態ではホームポジション位置から図中左側に情報処理位置と押上位置まで保持回転可能であり、図中右側には確認位置と返却位置までの範囲で保持回転許容し、押上位置から左方向に返却位置までの範囲はＩＣコイン２０の非処理領域に設定して、押上位置から正回転（図中反時計方向）させるとＩＣコイン２０は押し上げられて押上通路４８に押し上げ動作することになり、一方、返却位置から逆回転（図中時計方向）させるとＩＣコイン２０は回転規制されてコインホルダ４３から外れ、下方の返却口５０を介して返却通路（図面省略）へと落下する。
【００７０】
次に、押上通路４８について説明する。
この押上通路４８は、図７にも示すように、押上口４９と対向する斜め上方にＩＣコイン２０を上下方向に移動可能な縦長の通路スペースを形成し、通路下端が上述した押上口４９と対応し、通路上端が回収口５２と対向して形成される。この押上通路４８の背面側には仕切壁５８を隔てて回収通路５４を併設しており、回収口５２の部分で押上口４９から押し上げられたＩＣコイン２０を回収通路５４側に移動可能に連通して設けている。この回収口５２の位置には板バネにより形成された回収ガイド板５５を配設しており、この回収ガイド板５５は押上通路４８の上方対向位置に配設されて、該押上通路４８を通って押し上げられたＩＣコインが貯留限度枚数以上になるとオーバフローして押上通路４８の上方に開口する回収口５２側へと至る。このとき、該位置に配設された回収ガイド板５５の押圧付勢力により、オーバフローしたＩＣコインを付勢して回収通路５４側へと移動させて回収動作を円滑に行わせる。このため、押上通路内には予め定められた一定枚数を貯留することができ、コイン詰まりを誘起するような過剰にＩＣコインが貯留されることはない。
【００７１】
次に、ロータ４１のコインホルダ４３の回転停止位置を制御する手段を示す。このロータ４１の回転制御に際しては、受入位置に導かれたＩＣコインの有無を検知するコイン受入検知センサＳ1 と、その受入位置をホームポジションとするホームポジション検知センサＳ2 と、押上通路４８内のＩＣコインの有無を検知するコイン貯留検知センサＳ3 と、ロータの回転位置を検知するロータ回転位置検知センサＳ4 とを配設し、これらのセンサ信号に基づいてロータ４１を回転制御する。
【００７２】
このうち、ロータ回転位置検知センサＳ4 は円周上を４等分した位置に相当する情報処理位置、押上完了位置、確認位置、返却位置との４方向の位置を検知する。図中、５９はセンサ検出孔を示す。
【００７３】
図８はスロット用台間機の制御回路ブロック図を示し、制御部９１はＣＰＵ，ＲＯＭ，ＲＡＭを備え、ＣＰＵはＲＯＭに格納されたプログラムに沿って各回路装置を制御し、ＲＡＭは動作に必要なデータを記憶する。
【００７４】
そして、上述の制御部９１には、コイン返却ボタン３８、コイン表示器３３、払出しボタン３４、駆動モータＭ、コイン受入検知センサＳ1 、ホームポジション検知センサＳ2 、コイン貯留検知センサＳ3 、ロータ回転位置検知センサＳ4 、シャッタソレノイドSOL 、紙幣処理装置９２、ＩＣコイン通信装置９３、電源装置９４、払出しデータ（メダル枚数）出力部９５、外部通信装置９６を接続している。なお、払出しデータ出力部９５は払出しデータを、スロット用台間機１２ｂから隣設するスロット用遊技台１１ｂに送信して電子管理し、プレーヤによるメダルの投入操作を省略した能率のよい遊技操作を促進している。また、外部通信装置９６はホストコンピュータ１０に接続してデータ通信を行う。
【００７５】
次に、スロット用台間機１２ｂに内蔵されるＩＣコイン処理装置４０の処理動作を図９のフローチャートと、図１０〜図１５の動作説明図を参照して説明する。
図１０はロータ４１の回転によるＩＣコインの受入処理動作を示し、通常、ＩＣコイン処理装置４０は、図１０（Ａ）に示すように、ロータ４１のコインホルダ４３が受入位置に待機して、ＩＣコイン２０を受入れ可能な斜め上向きに開口した受入れ待機状態にある。
【００７６】
この待機状態で、スロット用台間機のコイン投入口３５にＩＣコイン２０が投入されると、投入口シャッタ４７を閉じて連続投入を規制し、ＩＣコイン２０は内方のケーシング４２の受入口４６の位置に導かれ、これより受入位置に待機するコインホルダ４３に受入れられる。この投入されたことを、コイン受入検知センサＳ1 が検知すると（ステップｎ1 〜ｎ2 ）、
これに基づいて制御部９１が駆動モータＭを正転駆動（図中左回りに回転）して、図１０（Ｂ）に示すように、投入されたＩＣコイン２０を情報処理位置に移動させる（ステップｎ3 ）。
【００７７】
この情報処理位置に導かれたＩＣコイン２０のデータをＲ／Ｗ５１が読取り（ステップｎ4 ）、
有効なＩＣコインか否かを判定する。このとき、有効と判定した場合は、払出し用のランプ３４ａを点灯して払出し許容状態を表し、またコイン表示器３３には投入されたＩＣコイン２０の有効残度数を表示する（ステップｎ5 ）。
【００７８】
有効と判定した後、プレーヤにより払出しボタン３７が押下されると（ステップｎ6 ）、
押下回数分の払出しデータが、ＩＣコイン２０から減算されてスロット用遊技台１１ｂ側に出力される。例えば、１回押す毎に５００円分のメダル枚数分の枚数データを出力する。
【００７９】
このように払出し時には、払出し要請量に応じた金額をＩＣコイン２０から減額処理する（ステップｎ7 ）。
【００８０】
その後、投入されたＩＣコイン２０が情報処理位置に位置して払出しボタン３４が押下される毎に減額処理が繰り返えされ、ＩＣコイン２０の価値が次第に減って、このＩＣコイン２０の金額価値データが零（０円）になり、価値がなくなると（ステップｎ8 ）、
再利用することが可能なので、図１０（Ｃ）に示すように、ロータ４１を正回転させてＩＣコインを保持したコインホルダ４３の位置を押上位置（貯留開始位置）に移動させる（ステップｎ9 ）。
【００８１】
このとき、コインホルダ４３にし下半周面が保持されているＩＣコイン２０は押上口４９との対向位置に導かれた時、押上通路４８に対してロータは４１の回転方向が略直角になり、ＩＣコイン２０の上半周面がコインホルダ４３よりはみ出しているため、押上通路４８の一壁面に当接し、そのままロータは４１を正回転させることによりＩＣコイン２０はロータ４１の外周面にて押し上げられる。これにより、無価値となったＩＣコイン２０が押上通路４８に貯留される（ステップｎ10）。
【００８２】
押上動作後は、図１０（Ｄ）に示すように、ロータ４１を正回転させてコインホルダ４３をホームポジションの位置に戻して、次のＩＣコイン２０の投入に備える。
【００８３】
次に、ＩＣコインの貯留、回収処理動作を図１１および図１２のロータの回転動作状態を参照して説明する。
今、押上通路４８に無価値となったＩＣコイン２０が押し上げられて貯留動作された時、図１１（Ａ）および図１１（Ｂ）に示すように、例えば押上通路４８にＩＣコイン２０が３枚貯留可能なスペースで、既に３枚貯留されている場合は、最上部のＩＣコイン２０が回収口５２内に１枚分上動し、この上動時に回収ガイド板５５の回収側への付勢力に抗して上動する。このため、押上通路４８よりコイン下端が外れた自由状態では、図１２（Ａ）および図１２（Ｂ）に示すように、回収ガイド板５５に上動した自由状態のＩＣコイン２０が回収側に付勢されて回収通路５４側に移動し、これより自重にて下方に落下して内方に回収される（ステップｎ11）。
【００８４】
ところで、図１３（Ａ）に示すように、上述のステップｎ5 でＲ／Ｗ５１がコインデータを読取ったときに、ＩＣコイン以外の適用外の硬貨、メダル、偽造コインなどの識別不良コインが投入されたと判定した場合は、ロータ４１を逆回転させてコインホルダ４３の位置を、図１３（Ｂ）に示すように、受入位置および確認位置を経て返却位置へと回転させ、返却位置に至ると（ステップｎ12）、
ＩＣコイン２０は自重により下向きになったコインホルダ４３の返却位置より下方に落下して、下方のコイン返却口３７に返却される。また、遊技途中でプレーヤが遊技利用を中止するためにコイン返却ボタン３８を押下操作した場合も、同様に上述のＩＣコイン２０の返却動作が行われる。
【００８５】
そして、ロータ４１がさらに回転して、図１３（Ｃ）に示すように、コインホルダ４３が返却位置を通過したことを、ロータ回転位置検知センサＳ4 が検知すると、ＩＣコインの返却動作を実行したと判定する。
【００８６】
この返却処理後は、ロータ４１を正回転させてコインホルダ４３の位置をホームポジションの位置（受入位置）に戻し、次のＩＣコインの投入に備える（ステップｎ12）。
【００８７】
次に、ＩＣコインの投入に代えて現金投入による処理動作を図１４および図１５のロータの回転動作状態を参照して説明する。
今、図１４（Ａ）に示すように、ロータ４１のコインホルダ４３にＩＣコイン２０がない状態で、プレーヤが紙幣挿入口３２に遊技すべき金額分の紙幣（例えば千円札）を挿入した場合（ステップｎ13）、
この入金情報に基づいて制御部９１は、投入口シャッタ４７を閉鎖し（ステップｎ14）、
図１４（Ｂ）に示すように、直ちにロータ４１を正回転させてコインホルダ４３が押上位置を通過する位置まで回転移動させた後、ロータを逆転させてコインホルダ４３を押上位置に位置決めして回転停止させる（ステップｎ15）。
【００８８】
このロータ４１の移動完了後に、上方の押上通路４８の押上口４９からは自重によりＩＣコイン２０の１枚が降下して斜め上向きに対向するコインホルダ４３内に収納される（ステップｎ16）。
【００８９】
続いて制御部９１は、図１５（Ｄ）に示すように、直ちにロータ４１を逆回転させてコインホルダホルダ４３を情報処理位置に移動させ（ステップｎ17）、
移動完了後のＩＣコイン２０に対して、Ｒ／Ｗ５１より入金分のデータを記録させ（ステップｎ18）、
記録完了後は、図１５（Ｅ）に示すように、ロータ４１を逆回転させて保持されたＩＣコイン２０をコイン確認窓３６から視認できる位置まで回動させてプレーヤに確認させた後（ステップｎ19）、
再び、図１５（Ｆ）に示すように、情報処理位置の位置に戻して待機し、その後、プレーヤによる払出しボタン３４の入力操作に基づいてＩＣコインから金額価値を減算し、払出しデータを出力させてプレーヤに遊技利用を開始させる。
【００９０】
遊技途中でプレーヤが遊技を止める場合は、ＩＣコイン２０を返却すべく、既述したステップｎ12と同一の返却動作を実行する。
【００９１】
また、ＩＣコインの金額価値がなくなった場合は、既述したステップｎ8 〜ｎ11と同一の貯留および回収動作を実行するものである。
【００９２】
上述のように、払出し用媒体にカードではなく、耐久性および取扱い性に優れたＩＣコインを採用し、しかもＩＣコインを受入れるコインホルダを備えたロータをケーシング内で回転制御することにより、ＩＣコインを処理目的位置に容易に回転移動させて処理することができ、またＩＣコインを保持するロータは回転移動式のため、設置スペースは必要最小限で済み、周方向に処理対応位置をコンパクトに効率よく設けることができ、幅狭のスペースにも設置することができる。
【００９３】
さらに、ＩＣコインをロータにより回転移動させて情報処理部に正確に位置決めしてデータ処理できるため、読取り・書込み処理を安定して行うことができる信頼性の高いデータ処理性能が得られる。
【００９４】
また、押上通路に複数枚のＩＣコインを発行用に貯留でき、ことに使用済みのＩＣコインを発行用に貯留できるためＩＣコインのリサイクル運用を効率よく図ることができ、金額価値がなくなったＩＣコインを情報処理部の位置に導いて新たに価値情報等を記録すればよく、ＩＣコインを容易に再利用できる。
【００９５】
この発明の構成と、上述の一実施の形態の構成との対応において、
この発明の情報処理部は、Ｒ／Ｗ（リーダライタ）５１に対応し、
以下同様に、
回転制御手段は、制御部９１に対応し、
回収ガイド手段は、回収ガイド板５５に対応するも、この発明は上述の一実施の形態の構成のみに限定されるものではなく、多くの実施の形態を得ることができる。
【図面の簡単な説明】
【図１】  遊技機システムを示す概略構成図。
【図２】  ＩＣコインの一例を示す説明図。
【図３】  ＩＣモジュールの回路構成を示すブロック図。
【図４】  ＥＥＰＲＯＭに記録されるデータの説明図。
【図５】  台間機の正面図。
【図６】  ＩＣコイン処理装置の内部構造を開放して示す要部側面図。
【図７】  ＩＣコイン処理装置の要部縦断面図。
【図８】  スロット用台間機の制御回路ブロック図。
【図９】  ＩＣコイン処理装置の処理動作を示すフローチャート。
【図１０】  ＩＣコインの受入処理動作を示す説明図。
【図１１】  ＩＣコインの貯留状態を示す説明図。
【図１２】  ＩＣコインの回収処理動作を示す説明図。
【図１３】  ＩＣコインの返却処理動作を示す説明図。
【図１４】  現金投入によるＩＣコイン処理動作を示す説明図。
【図１５】  図１４に続くＩＣコイン処理動作を示す説明図。
【符号の説明】
１１…遊技機
１２，１２ａ，１２ｂ…台間機
２０…ＩＣコイン
４０…ＩＣコイン処理装置
４１…ロータ
４２…ケーシング
４２ａ…ケーシング片面のカバー
４３…コインホルダ
４６…受入口
４８…押上通路
４９…押上口
５０…返却口
５１…Ｒ／Ｗ（リーダライタ）
５２…回収口
５５…回収ガイド板
９１…制御部
【図１】
0004471505.tif 000002
【図２】
0004471505.tif 000003
【図３】
0004471505.tif 000004
【図４】
0004471505.tif 000005
【図５】
0004471505.tif 000006
【図６】
0004471505.tif 000007
【図７】
0004471505.tif 000008
【図８】
0004471505.tif 000009
【図９】
0004471505.tif 000010
【図１０】
0004471505.tif 000011
【図１１】
0004471505.tif 000012
【図１２】
0004471505.tif 000013
【図１３】
0004471505.tif 000014
【図１４】
0004471505.tif 000015
【図１５】
0004471505.tif 000016